(57)【特許請求の範囲】
【請求項１】
予めメッセージデータを送信可能な宛先を示すアドレス情報ごとに顔情報を対応付けて記憶する記憶手段と、
前記メッセージデータに添付される画像データから顔情報を抽出する抽出手段と、
前記抽出手段により抽出された顔情報と同一人物を示している第１顔情報が前記記憶手段に記憶されている場合に、当該第１顔情報に対応付けられている第１アドレス情報を取得する取得手段と、
前記メッセージデータの宛先として、前記取得手段により取得されない第２アドレス情報が指定されており、かつ、前記取得手段により対応するアドレス情報が取得されない第２顔情報が前記抽出手段により前記画像データから抽出された場合に、当該第２顔情報を前記第２アドレス情報に対応付けて前記記憶手段に記憶させる制御手段と、を備え、
前記記憶手段は、所有者の顔情報を記憶し、
前記制御手段は、前記第２顔情報と前記所有者の顔情報とが同一人物を示している場合、当該第２顔情報を前記第２アドレス情報と対応付けて前記記憶手段に記憶させないことを特徴とする情報通信装置。
【請求項２】
前記記憶手段は、前記第２アドレス情報を記憶していることを特徴とする請求項１に記載の情報通信装置。
【請求項３】
前記制御手段は、前記第２顔情報又は前記第２アドレス情報の少なくとも一方が複数である場合、当該第２顔情報の１つと当該第２アドレス情報の１つとを互いを対応付ける指定入力を受け付けて対応付けることを特徴とする請求項１又は２に記載の情報通信装置。
【請求項４】
前記制御手段は、前記第２アドレス情報が前記記憶手段に記憶されていない場合に、前記第２顔情報と対応付けて前記第２アドレス情報を前記記憶手段に新たに記憶させることを特徴とする請求項１に記載の情報通信装置。
【請求項５】
前記取得手段は、前記抽出手段により抽出された顔情報と前記所有者の顔情報とが同一人物を示している場合、前記アドレス情報を取得しないことを特徴とする請求項１から４のいずれか一項に記載の情報通信装置。
【請求項６】
前記顔情報は、顔の画像を表す顔画像データと当該顔画像データの特徴を数値化した顔認識データとの少なくとも一方であることを特徴とする請求項１から５のいずれか一項に記載の情報通信装置。
【請求項７】
前記顔画像データに基づいて前記顔認識データを生成する顔認識データ生成手段をさらに備えることを特徴とする請求項６に記載の情報通信装置。
【請求項８】
前記取得手段は、前記抽出手段により抽出された１つの顔情報に対して、複数のアドレス情報を取得した場合、１つのアドレス情報を選択する選択入力を受け付け、当該選択入力に基づいて前記複数のアドレス情報のうちから１つのアドレス情報を取得することを特徴とする請求項２から７のいずれか一項に記載の情報通信装置。
【請求項９】
前記制御手段は、所定の指示入力を受け付けた場合に、前記第１顔情報を前記抽出手段により抽出された顔情報に置換することを特徴とする請求項１から８のいずれか一項に記載の情報通信装置。
【発明の詳細な説明】
【技術分野】
【０００１】
本発明は、画像データが添付されたメッセージデータを送信する情報通信装置に関する。
【背景技術】
【０００２】
従来、電子メールに代表されるメッセージデータを送受信可能なサービスにおいては、画像データを添付して送信できる場合が多い。この場合、例えば、メール送信者は、人物の集合写真を添付して、被写体である複数の人物を宛先とすることがある。このとき、メール送信者は、宛先である複数のメールアドレスを手入力していた。
【０００３】
このような状況において、予めメールアドレスと顔画像データとを対応付けてデータベースに登録しておき、入力画像データから検出された顔画像と同一人物と判定された顔画像データに対応するメールアドレスを抽出して、宛先に設定することが提案されている（例えば、特許文献１参照）。
【先行技術文献】
【特許文献】
【０００４】
【特許文献１】特開２００６−１７８５５８号公報
【発明の概要】
【発明が解決しようとする課題】
【０００５】
しかしながら、特許文献１では、顔画像データとメールアドレスとが予め対応付けてデータベースに登録されている必要がある。すなわち、メール送信者は、顔画像データが登録されていない人物のメールアドレスを、手作業で入力又は選択しなければならない。したがって、この手作業を省くためには、顔画像データを手動で登録する手間が生じていた。
【０００６】
本発明は、アドレス帳に顔画像を追加登録する契機を増加させる情報通信装置を提供することを目的とする。
【課題を解決するための手段】
【０００７】
本発明に係る情報通信装置は、予めメッセージデータを送信可能な宛先を示すアドレス情報ごとに顔情報を対応付けて記憶する第１記憶手段と、前記メッセージデータに添付される画像データから顔情報を抽出する抽出手段と、前記抽出手段により抽出された顔情報と同一人物を示している第１顔情報が前記第１記憶手段に記憶されている場合に、当該第１顔情報に対応付けられている第１アドレス情報を取得する取得手段と、前記メッセージデータの宛先として、前記取得手段により取得されない第２アドレス情報が指定されており、かつ、前記取得手段により対応するアドレス情報が取得されない第２顔情報が前記抽出手段により前記画像データから抽出された場合に、当該第２顔情報を前記第２アドレス情報に対応付けて前記第１記憶手段に記憶させる制御手段と、を備えることを特徴とする。
【０００８】
また、前記第１記憶手段は、前記第２アドレス情報を記憶していることが好ましい。
【０００９】
また、前記制御手段は、前記第２顔情報又は前記第２アドレス情報の少なくとも一方が複数である場合、当該第２顔情報の１つと当該第２アドレス情報の１つとを互いを対応付ける指定入力を受け付けて対応付けることが好ましい。
【００１０】
また、前記制御手段は、前記第２アドレス情報が前記第１記憶手段に記憶されていない場合に、前記第２顔情報と対応付けて前記第２アドレス情報を前記第１記憶手段に新たに記憶させることが好ましい。
【００１１】
また、本発明に係る情報通信装置は、前記情報通信装置の所有者の顔情報を記憶する第２記憶手段をさらに備え、前記制御手段は、前記第２顔情報と前記所有者の顔情報とが同一人物を示している場合、当該第２顔情報を前記第２アドレス情報と対応付けて前記第１記憶手段に記憶させないことが好ましい。
【００１２】
また、前記取得手段は、前記抽出手段により抽出された顔情報と前記所有者の顔情報とが同一人物を示している場合、前記アドレス情報を取得しないことが好ましい。
【００１３】
また、前記顔情報は、顔の画像を表す顔画像データと当該顔画像データの特徴を数値化した顔認識データとの少なくとも一方であることが好ましい。
【００１４】
また、本発明に係る情報通信装置は、前記顔画像データに基づいて前記顔認識データを生成する顔認識データ生成手段をさらに備えることが好ましい。
【００１５】
また、前記取得手段は、前記抽出手段により抽出された１つの顔情報に対して、複数のアドレス情報を取得した場合、１つのアドレス情報を選択する選択入力を受け付け、当該選択入力に基づいて前記複数のアドレス情報のうちから１つのアドレス情報を取得することが好ましい。
【００１６】
また、前記制御手段は、所定の指示入力を受け付けた場合に、前記第１顔情報を前記抽出手段により抽出された顔情報に置換することが好ましい。
【発明の効果】
【００１７】
本発明によれば、アドレス帳に顔画像を追加登録する契機を増加させられる。
【図面の簡単な説明】
【００１８】
【図１】本発明の実施形態に係る携帯電話機の外観斜視図である。
【図２】本発明の実施形態に係る携帯電話機の機能を示すブロック図である。
【図３】本発明の実施形態に係る添付画像データに基づいて、電子メールの宛先が自動設定される処理例を示す図である。
【図４】本発明の実施形態に係る添付画像データ及び宛先のメールアドレスに基づいて、顔情報とメールアドレスとを対応付ける処理例を示す図である。
【図５】本発明の実施形態に係る電子メール送信に伴う携帯電話機の各部の処理を示すシーケンス図である。
【図６】本発明の実施形態に係るデータ追加候補抽出処理を示すフローチャートである。
【図７】本発明の実施形態に係るデータ追加処理を示すフローチャートである。
【発明を実施するための形態】
【００１９】
以下、本発明の好適な実施形態の一例について説明する。なお、本実施形態では、情報通信装置の一例として、電子メールの送受信機能を有する携帯電話機１を説明する。
【００２０】
図１は、本実施形態に係る携帯電話機１の外観斜視図である。
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２１】
また、表示部側筐体３は、表面部２０に、各種情報を表示するための表示部２１と、通話の相手側の音声を出力するレシーバ２２と、を備えて構成されている。
【００２２】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００２３】
図２は、本実施形態に係る携帯電話機１の機能を示すブロック図である。携帯電話機１は、操作部１１と、表示部２１と、制御部３０と、通信部４０と、アンテナ４１と、記憶部５０と、を備える。
【００２４】
制御部３０は、携帯電話機１の全体を制御しており、例えば、表示部２１、通信部４０等に対して所定の制御を行う。また、制御部３０は、操作部１１等から入力を受け付けて、各種処理を実行する。そして、制御部３０は、処理実行の際には、記憶部５０を制御し、各種プログラム及びデータの読み出し、並びにデータの書き込みを行う。なお、処理の詳細は後述する。
【００２５】
通信部４０は、所定の使用周波数帯（例えば、２ＧＨｚ帯や８００ＭＨｚ帯等）で外部装置（基地局）と通信を行う。そして、通信部４０は、アンテナ４１より受信した信号を復調処理し、処理後の信号を制御部３０に供給し、また、制御部３０から供給された信号を変調処理し、アンテナ４１から外部装置に送信する。
【００２６】
具体的には、通信部４０は、制御部３０の制御に従って、添付画像データ付きの電子メール（メッセージデータ）を、指定された宛先であるメールアドレスへ送信する。
【００２７】
記憶部５０は、例えば、ワーキングメモリを含み、制御部３０による演算処理に利用される。また、本実施形態に係る各種プログラム等を記憶する。さらに、記憶部５０は、アドレス帳ＤＢ５１（第１記憶手段）と、所有者ＤＢ５２（第２記憶手段）と、を備える。
【００２８】
アドレス帳ＤＢ５１は、予めメッセージデータを送信可能な宛先を示すアドレス情報として複数のメールアドレスを記憶している。さらに、アドレス帳ＤＢ５１は、このメールアドレスごとに顔情報を対応付けて記憶する。ここで、顔情報は、人物の顔の画像を表す顔画像データと、この顔画像データの特徴を数値化した顔認識データとの少なくとも一方である。
【００２９】
顔画像データは、所定のフォーマット（例えば、ＪＰＥＧやＧＩＦ等）のデータであり、表示部２１に人物の顔画像として表示できる。また、顔認識データは、例えば、瞳や口等の特徴点それぞれの位置関係に基づいて定量化された複数の特徴量等で構成され、人物の顔それぞれを認識するための特徴を数値で表す。ここで、顔認識データは、顔画像データに基づいて生成され、顔認識データ同士の類似度に基づいて同一人物か否かが判定される。
【００３０】
所有者ＤＢ５２は、携帯電話機１の所有者の顔情報を記憶する。この顔情報は、アドレス帳ＤＢ５１と同様に、顔画像データと顔認識データとの少なくとも一方である。
【００３１】
次に、制御部３０の機能を詳述する。制御部３０は、顔抽出部３１（抽出手段）と、判定部３２と、アドレス取得部３３（取得手段）と、宛先設定部３４（設定手段）と、対応付け部３５（制御手段）と、認識データ生成部３６（顔認識データ生成手段）と、を備える。
【００３２】
顔抽出部３１は、電子メールに添付された画像データから顔情報を抽出する。具体的には、顔抽出部３１は、画像の一部である顔領域を示す顔画像データを抽出する。なお、顔画像データの抽出には、既存の顔認識技術を用いることができる。
【００３３】
判定部３２は、顔情報、すなわち顔画像データ又は顔認識データの類似度に基づいて、２つの顔情報が同一人物を示しているか否かを判定する。一例として、顔画像データの場合は、判定部３２は、顔器官の特徴点を検出し、その特徴点周辺の特徴量を２つの顔画像データについて互いに比較して類似度を算出する。判定部３２は、この類似度の総和が所定の閾値を超えた場合、同一人物であると判定する。また、顔認識データの場合は、判定部３２は、特徴点を特徴ベクトルとして定量化した値である顔認識データについて互いに比較する。なお、この判定は、既存の画像マッチング技術やパターン認識技術により実施できる。
【００３４】
アドレス取得部３３は、顔抽出部３１により顔情報が抽出されると、まず、抽出された顔情報と所有者ＤＢ５２に記憶されている所有者の顔情報とを照合する。判定部３２により、双方が同一人物を示していると判定された場合、アドレス取得部３３は、顔情報に対応するメールアドレスを取得しない。
【００３５】
次に、アドレス取得部３３は、顔抽出部３１により抽出された顔情報が示す人物のメールアドレスを、アドレス帳ＤＢ５１から検索する。すなわち、アドレス取得部３３は、顔抽出部３１により抽出された顔情報と同一人物を示していると判定部３２により判定された第１顔情報がアドレス帳ＤＢ５１に記憶されている場合に、この第１顔情報に対応付けられている第１メールアドレス（第１アドレス情報）を取得する。
【００３６】
また、アドレス取得部３３は、顔抽出部３１により抽出された１つの顔情報に対して、複数のメールアドレスを取得した場合、１つのアドレス情報を選択する選択入力を、操作部１１を介して受け付ける。そして、アドレス取得部３３は、この選択入力に基づいて１つの第１メールアドレスを取得する。
【００３７】
宛先設定部３４は、アドレス取得部３３により取得された第１メールアドレスを、電子メールの宛先として自動設定する。なお、画像データから複数の顔情報が抽出された場合には、抽出された顔情報ごとに１つの第１メールアドレスが宛先として設定される。また、顔情報に対して第１メールアドレスが取得されなかった場合には、宛先の自動設定はされず、適宜ユーザから第２メールアドレス（第２アドレス情報）が指定（入力又は選択）される。
【００３８】
対応付け部３５は、顔情報と第２メールアドレスとを対応付けてアドレス帳ＤＢ５１に記憶させる。上述のように宛先設定部３４による自動設定ではなく、ユーザから宛先に指定された第２メールアドレスは、画像データから抽出された顔情報と対応付けられていない、すなわちアドレス取得部３３により取得されない場合がある。この場合、さらに、アドレス取得部３３により第１メールアドレスが取得されない第２顔情報が顔抽出部３１により画像データから抽出されると、対応付け部３５は、この第２顔情報を第２メールアドレスに対応付けてアドレス帳ＤＢ５１に記憶させる。
【００３９】
ここで、アドレス取得部３３により第１メールアドレスが取得されない第２顔情報が複数抽出されたか、又は宛先設定部３４により自動設定されなかった第２メールアドレスが複数指定された場合、第２顔情報と第２メールアドレスとの対応が１対１に特定されない。そこで、対応付け部３５は、第２顔情報の１つと第２メールアドレスの１つとを互いを対応付ける指定入力を、操作部１１を介してユーザから受け付けて対応付ける。
【００４０】
また、対応付け部３５は、電子メールの宛先に指定された第２メールアドレスがアドレス帳ＤＢ５１に記憶されていない場合、すなわち登録されていない新たな第２メールアドレスが宛先に入力された場合、画像データから抽出された第２顔情報と対応付けてこの第２メールアドレスをアドレス帳ＤＢ５１に新たに記憶させる。
【００４１】
このとき、判定部３２は、画像データから抽出された第２顔情報と第２メールアドレスとの対応付けが対応付け部３５により行われるのに先立って、第２顔情報と所有者ＤＢ５２に記憶されている所有者の顔情報とを照合する。対応付け部３５は、判定部３２によりこれらの顔情報が同一人物を示していると判定された場合、この第２顔情報をいずれのメールアドレスとも対応付けない。
【００４２】
認識データ生成部３６は、上記のように、顔画像データに基づいて、人物の顔それぞれを認識するための特徴を数値で表した顔認識データを生成する。認識データ生成部３６は、電子メールの添付画像から抽出された顔画像データ、アドレス帳ＤＢ５１のメールアドレスに対応付けられている顔画像データ、及び所有者ＤＢ５２に記憶されている所有者の顔画像データから、それぞれの人物を認識するための顔認識データを生成する。
【００４３】
判定部３２は、顔情報として顔認識データが予め用意されていない場合でも、認識データ生成部３６により顔画像データから生成された顔認識データに基づいて、精度良く人物を認識し、同一人物か否かを判定できる。
【００４４】
図３は、本実施形態に係る添付画像データに基づいて、電子メールの宛先が自動設定される処理例を示す図である。
【００４５】
画像データ「ａｂｃ．ｊｐｇ」には、４人の顔画像データ（Ａ、Ｂ、Ｃ及びＤ）が含まれている。この画像データが電子メールに添付された場合、顔抽出部３１は、顔画像データＡ、Ｂ、Ｃ及びＤを抽出する。
【００４６】
次に、アドレス取得部３３は、抽出された顔画像データＡ、Ｂ、Ｃ及びＤそれぞれと同一人物であると判定部３２により判定される顔情報を、アドレス帳ＤＢ５１のアドレス帳データから検索する。このとき、判定部３２は、顔画像データ又は顔認識データ同士をマッチングさせ、類似度の高い顔情報を同一人物と判定する。また、判定部３２は、認識データ生成部３６により顔画像データから顔認識データが生成された後に、顔認識データに基づいて同一人物か否かを判定してもよい。
【００４７】
図３の例では、画像データ中の顔画像データＡは、アドレス帳データの顔画像と同一人物であると判定され、第１メールアドレス「ａａａ＠＊＊＊＊＊＊＊＊」が宛先として設定される。顔画像データＢは、アドレス帳データに顔画像データは記憶されていないものの、顔認識データがあり、同一人物であると判定されたので、第１メールアドレス「ｂｂｂ＠＊＊＊＊＊＊＊＊」が宛先として設定される。
【００４８】
一方、顔画像データＣ及び顔画像データＤは、アドレス帳データに、同一人物と判定される顔画像データ及び顔認識データのいずれも記憶されていないので、宛先の自動設定は行われない。
【００４９】
図４は、本実施形態に係る添付画像データ及び宛先のメールアドレスに基づいて、顔情報とメールアドレスとを対応付ける処理例を示す図である。
【００５０】
電子メールの宛先には、図３で自動設定された第１メールアドレスに加えて、「ｃｃｃ＠＊＊＊＊＊＊＊＊」及び「ｄｄｄ＠＊＊＊＊＊＊＊＊」が新たに入力されている。これらの新たに入力された第２メールアドレスは、添付画像データ中の人物の顔情報と対応付けられていない。そこで、対応付け部３５は、第１メールアドレスが取得されなかった第２顔情報と第２メールアドレスとを１対１に対応付ける指定入力を受け付けて登録する。
【００５１】
具体的には、対応付け部３５は、表示部２１に顔画像の選択肢を表示させ、添付画像データから１つの登録候補（例えば、図中の破線枠内の顔画像Ｃ）を選択させる。次に、対応付け部３５は、表示部２１にアドレス帳データの選択肢を表示させ、登録するアドレス帳データを１つ（例えば、第２メールアドレス「ｃｃｃ＠＊＊＊＊＊＊＊＊」）選択させる。これにより、選択された顔画像データＣの顔認識データと第２メールアドレス「ｃｃｃ＠＊＊＊＊＊＊＊＊」とが対応付けられてアドレス帳ＤＢ５１に記憶される。
【００５２】
また、対応付け部３５は、アドレス帳ＤＢ５１へ顔認識データを記憶する際に、顔画像データも記憶させる指示入力を受け付けた場合、顔認識データと共に顔画像データもアドレス帳ＤＢ５１に記憶させる。
【００５３】
図５は、本実施形態に係る電子メール送信に伴う携帯電話機１の各部の処理を示すシーケンス図である。
【００５４】
操作部１１の指示入力により制御部３０へ画像の添付が指示されると（ステップＳ１）、制御部３０は、記憶部５０へ添付画像を要求し（ステップＳ２）、対象の添付画像データを取得する（ステップＳ３）。
【００５５】
続いて、操作部１１の指示入力により制御部３０へ宛先の自動設定が指示されると（ステップＳ４）、制御部３０は、記憶部５０へアドレス帳を要求し（ステップＳ５）、アドレス帳データを取得する（ステップＳ６）。
【００５６】
すると、制御部３０は、添付画像データから顔画像データを抽出し、さらに顔認識データを生成すると、アドレス帳データから同一人物と判定される顔情報を検索し、対応付けられている第１メールアドレスを、電子メールの宛先に自動設定する（ステップＳ７）。
【００５７】
宛先が自動設定された電子メールのメールデータは、制御部３０から表示部２１へ提供され、表示部２１は、メールデータを表示してユーザに提示する（ステップＳ８）。
【００５８】
さらに、操作部１１への入力により宛先の手動追加が制御部３０へ通知されると（ステップＳ９）、更新されたメールデータは、制御部３０から表示部２１へ提供され、表示部２１は、更新されたメールデータを表示してユーザに提示する（ステップＳ１０）。
【００５９】
そして、操作部１１への入力により電子メールの送信指示が制御部３０へ通知されると（ステップＳ１１）、制御部３０は、通信部４０へ電子メールの送信要求を行い（ステップＳ１２）、通信部４０は、設定された宛先へ電子メールを送信する（ステップＳ１３）。
【００６０】
次に、制御部３０は、アドレス帳データの追加候補を抽出するデータ追加候補抽出処理（図６で詳述する）を実行する（ステップＳ１４）。
【００６１】
追加候補が抽出されると、抽出された追加候補データが制御部３０から表示部２１へ提供され（ステップＳ１５）、表示部２１は、この追加候補データを表示してユーザに提示する（ステップＳ１６）。
【００６２】
表示部２１に表示された追加候補データに基づいて、操作部１１からアドレス帳データへの顔情報の追加指示が制御部３０へ通知されると（ステップＳ１７）、制御部３０は、顔情報を追加するデータ追加処理（図７で詳述する）を実行する（ステップＳ１８）。
【００６３】
そして、データ追加処理により更新データは、記憶部５０へ提供され（ステップＳ１９）、記憶部５０は、更新データに基づいてアドレス帳データを更新する（ステップＳ２０）。
【００６４】
図６は、本実施形態に係る制御部３０におけるデータ追加候補抽出処理を示すフローチャートである。
【００６５】
ステップＳ２１では、制御部３０は、送信された電子メールに手動で宛先が追加されたか否かを判定する。制御部３０は、この判定がＹＥＳの場合、処理をステップＳ２２に移し、判定がＮＯの場合、処理を終了する。なお、判定がＮＯとなり、追加候補データが抽出されなかった場合、ステップＳ１５〜Ｓ２０（図５）の処理は行われない。
【００６６】
ステップＳ２２では、制御部３０は、添付画像データ内に、顔認識できなかった顔画像データが存在するか否かを判定する。制御部３０は、この判定がＹＥＳの場合、処理をステップＳ２３に移し、判定がＮＯの場合、処理を終了する。なお、判定がＮＯとなり、追加候補データが抽出されなかった場合、ステップＳ１５〜Ｓ２０（図５）の処理は行われない。
【００６７】
ステップＳ２３では、制御部３０は、手動で追加された、すなわち自動で取得できなかった全ての宛先である第２メールアドレスと、添付画像データ内の顔認識できなかった全ての顔画像データ（第２顔情報）とを、追加候補データとして抽出する。
【００６８】
図７は、本実施形態に係る制御部３０におけるデータ追加処理を示すフローチャートである。
【００６９】
ステップＳ３１では、制御部３０は、データ追加候補抽出処理（図６）で抽出された第２メールアドレスが、既存のアドレス帳データに存在するか否かを判定する。制御部３０は、この判定がＹＥＳの場合、処理をステップＳ３２に移し、判定がＮＯの場合、処理をステップＳ３５に移す。
【００７０】
ステップＳ３２では、制御部３０は、アドレス帳データに顔画像データも登録するか否かを判定する。具体的には、制御部３０は、ユーザから操作部１１を介して指示入力を受け付け、登録するか否かを判定する。制御部３０は、この判定がＹＥＳの場合、処理をステップＳ３３に移し、判定がＮＯの場合、処理をステップＳ３４に移す。
【００７１】
ステップＳ３３では、制御部３０は、既存のアドレス帳データに、顔画像データと、顔画像データから生成される顔認識データとを登録する。
【００７２】
ステップＳ３４では、制御部３０は、既存のアドレス帳データに、顔画像データから生成される顔認識データを登録する。
【００７３】
ステップＳ３５では、制御部３０は、アドレス帳データに顔画像データも登録するか否かを判定する。具体的には、制御部３０は、ユーザから操作部１１を介して指示入力を受け付け、登録するか否かを判定する。制御部３０は、この判定がＹＥＳの場合、処理をステップＳ３６に移し、判定がＮＯの場合、処理をステップＳ３７に移す。
【００７４】
ステップＳ３６では、制御部３０は、新規のアドレス帳データに、顔画像データと、顔画像データから生成される顔認識データとを登録する。
【００７５】
ステップＳ３７では、制御部３０は、新規のアドレス帳データに、顔画像データから生成される顔認識データを登録する。
【００７６】
以上のように、本実施形態によれば、携帯電話機１は、添付画像データから抽出した顔情報を宛先のメールアドレスに対応付けて記憶するので、アドレス帳に顔情報を追加登録する契機を増加させ、電子メールの宛先を自動設定するための顔情報とメールアドレスとの組合せを容易に登録できる。
【００７７】
また、携帯電話機１は、顔情報とメールアドレスとが１対１に紐付かない場合でも、指定入力を受け付けることで、正確に顔情報とメールアドレスとの組合せを登録できる。
さらに、携帯電話機１は、アドレス帳に既に登録されているメールアドレス以外の宛先が指定された場合に、新たなメールアドレスと顔情報との組合せを登録できる。
【００７８】
また、携帯電話機１は、添付画像データから携帯電話機１の所有者の顔情報が抽出された場合には、この所有者の顔情報を宛先に指定されたメールアドレスと対応付けないので、所有者の顔画像が誤ってアドレス帳データに登録されるのを抑制できる。さらに、携帯電話機１は、この所有者の顔情報から宛先となるメールアドレスの抽出も行わないので、宛先の自動設定の精度が向上する。
【００７９】
また、携帯電話機１は、顔情報として、顔画像データの特徴を数値化した顔認識データを生成でき、さらに、この顔認識データを用いて同一人物か否かを判定できる。よって、携帯電話機１は、顔画像データを登録していないアドレス帳データにおいても、顔認識データが登録されていれば、宛先の自動設定を行える。また、携帯電話機１は、顔認識データを用いる場合は、顔画像データのみを用いる場合よりも精度良く宛先の自動設定を行える。
【００８０】
さらに、携帯電話機１は、添付画像データから抽出した顔情報に基づいて、複数のメールアドレスが取得された場合にも、選択入力を受け付けることで、より正確に宛先の自動設定ができる。
【００８１】
以上、好適な実施形態について説明したが、本発明は上述した実施形態に限定されることなく種々の形態で実施することができる。また、上述の実施形態に記載された効果は、本発明から生じる最も好適な効果を列挙したに過ぎず、本発明による効果は、前述のものに限定されない。
【００８２】
上述の実施形態では、携帯電話機１は、宛先の自動設定（図５のステップＳ７）が行われた後に、宛先の手動追加（図５のステップＳ９）を受け付けていたが、これには限られず、宛先の自動設定に先立って、手動追加が行われてもよい。この場合、宛先設定部３４は、アドレス取得部３３により取得された第１メールアドレスのうち、手動追加された宛先以外のメールアドレスを自動設定する。
【００８３】
また、このとき、手動追加された宛先が、画像データから抽出された顔画像に基づいて、アドレス取得部３３により取得される第１メールアドレスであった場合、この抽出された顔画像と、手動追加された宛先としての第１メールアドレスとは、対応付け部３５による対応付けの対象外となる。すなわち、データ追加候補抽出処理（図６）において、手動追加された宛先であっても、アドレス取得部３３により取得され自動設定可能な宛先は抽出対象外となる。
【００８４】
例えば、図４の例において、宛先「ａａａ＠＊＊＊＊＊＊＊＊」及び「ｂｂｂ＠＊＊＊＊＊＊＊＊」が手動追加される場合がある。この場合、画像データから抽出された顔画像データＡ及びＢと、アドレス帳データのメールアドレス「ａａａ＠＊＊＊＊＊＊＊＊」及び「ｂｂｂ＠＊＊＊＊＊＊＊＊」が追加候補データとして抽出されることはない。
【００８５】
また、対応付け部３５は、添付画像データから抽出された第２顔情報を第２メールアドレスに対応付けてアドレス帳ＤＢ５１に記憶させるとき、既に顔情報として顔画像データ又は顔認識データが記憶されている場合、第２顔情報により上書き更新してもよいが、これには限られない。例えば、操作部１１を介して所定の指示入力を受け付けた場合に、既に記憶されている顔情報を、抽出された第２顔情報に置換し、この指示入力がない場合は、既存の顔情報を優先してもよい。
【００８６】
具体的には、例えば、図４の登録候補選択において、顔画像データＤが選択され、登録アドレス帳データ選択において、第２メールアドレス「ｄｄｄ＠＊＊＊＊＊＊＊＊」が選択されたとする。この場合に、対応付け部３５は、所定の指示入力として顔画像データの上書き確認の入力を受け付けた後に、既存の顔画像データＤ´を顔画像データＤに置換してもよい。
このことによれば、携帯電話機１は、ユーザの判断に基づいて、より好ましい顔情報をメールアドレスと対応付けて記憶させることができる。
【００８７】
また、対応付け部３５は、第２顔情報のうちの顔認識データについては、既存の顔認識データから新たな顔認識データに置換するだけでなく、既存の顔認識データに加えて新たな顔認識データを追加してもよい。この場合、１件の登録メールアドレスに対して複数の顔認識データを持つことになる。判定部３２は、同一人物であるか否かの判定の際、抽出された顔情報の顔認識データと、登録されている複数の顔認識データのうちの最も近い値を持つ顔認識データと比較する。こうすることで、顔情報の認識成功率が向上する。
【００８８】
なお、本実施形態では、情報通信装置を携帯電話機１として説明したが、音声通話機能を持たないデータ専用端末や、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）の他、ゲーム機、ナビゲーション装置、ＰＣ（Ｐｅｒｓｏｎａｌ  Ｃｏｍｐｕｔｅｒ）等、様々な装置であってよい。
【符号の説明】
【００８９】
１  携帯電話機（情報通信装置）
１１  操作部
２１  表示部
３０  制御部
３１  顔抽出部（抽出手段）
３２  判定部
３３  アドレス取得部（取得手段）
３４  宛先設定部（設定手段）
３５  対応付け部（制御手段）
３６  認識データ生成部（顔認識データ生成手段）
４０  通信部
４１  アンテナ
５０  記憶部
５１  アドレス帳ＤＢ（第１記憶手段）
５２  所有者ＤＢ（第２記憶手段）
【図１】
0005501815.tif 000002
【図２】
0005501815.tif 000003
【図３】
0005501815.tif 000004
【図４】
0005501815.tif 000005
【図５】
0005501815.tif 000006
【図６】
0005501815.tif 000007
【図７】
0005501815.tif 000008